(57)【要約】      （修正有）【課題】インサートをインサート埋め込み穴に挿入するに当たり、その中心への位置決めを簡単に行えるようにする木材へのインサート固定装置の提供。【解決手段】インサート１７の雌ねじ１７ａに螺合させることができるボルト１８と、このボルトを挿通させることができる位置決め孔１５を有する位置決めプレート１４とを備え、この位置決めプレートを木材表面に当てた状態で位置決め孔を通じてボルトをインサートの雌ねじに螺合させることにより、インサートをインサート埋め込み穴５中に位置決めした後、インサート埋め込み穴に硬化材を充填する。【選択図】図１１
0003118488.tif 000002
【実用新案登録請求の範囲】
【請求項１】
雌ねじを有するインサートを、木材に穿設したインサート埋め込み穴に挿入し、該インサート埋め込み穴に硬化材を充填してインサートを固定する木材へのインサート固定装置において、インサートの雌ねじに螺合させることができる雄ねじ部材と、この雄ねじ部材を挿通させることができる位置決め孔を有する位置決めプレートとを備え、この位置決めプレートを木材表面に当てた状態で位置決め孔を通じて雄ねじ部材をインサートの雌ねじに螺合させることにより、インサートをインサート埋め込み穴中に位置決めした後、インサート埋め込み穴に硬化材を充填することを特徴とする木材へのインサート固定装置。
【請求項２】
仮止め部材を挿通させる仮止め孔を位置決めプレートに設け、この仮止め孔を通じて位置決めプレートを仮止め部材にて木材表面に仮止めできるようになっていることを特徴とする、請求項１に記載の木材へのインサート固定装置。
【請求項３】
木材同士を接合する接合金物の側板が位置決めプレートを兼ね、接合部材を木材表面に仮止めして位置決め孔を通じて雄ねじ部材をインサートの雌ねじに螺合させた後、インサート埋め込み穴に硬化材を充填することを特徴とする請求項１に記載の木材へのインサート固定装置。
【請求項４】
位置決めプレートに複数の位置決め孔が設けられ、一枚の位置決めプレートにて複数のインサートを複数のインサート埋め込み穴に対して位置決めできるようになっていることを特徴とする、請求項１ないし３のいずれかに記載の木材へのインサート固定装置。
【請求項５】
インサート埋め込み穴の盲端に、その内径を部分的に大きくする拡幅部が形成されているとともに、この拡幅部に直接連通する硬化材注入穴と、インサート埋め込み穴の開口部側に連通する硬化材排出穴とが木材に設けられ、硬化材を硬化材注入穴から注入して拡幅部を含むインサート埋め込み穴に充填し、余分の硬化材を硬化材排出穴から排出できるようにしたことを特徴とする、請求項１ないし４のいずれかに記載の木材へのインサート固定装置。
【考案の詳細な説明】
【技術分野】
【０００１】
本考案は、雌ねじを有するインサートを、木材に穿設したインサート埋め込み穴に挿入し、該インサート埋め込み穴に硬化材を充填してインサートを固定する木材へのインサート固定装置に関する。
【背景技術】
【０００２】
接合金物による木材同士の接合、例えば柱材と梁材とをその間に接合金物を介在させて接合する場合、雌ねじを有するインサートを木材に埋め込み、その雌ねじにボルトを螺合させて接合部材を木材表面に緊締することが行われている。
【０００３】
インサートとしては、雌ねじを有する異形鉄筋が使用されることが多く、これを木材に埋め込むには、木材に穿設したインサート埋め込み穴に所要長さの異形鉄筋を挿入し、該インサート埋め込み穴に樹脂やモルタル等の硬化材を充填して、インサートである異形鉄筋を固定するようにしている。
【０００４】
異形鉄筋をインサート埋め込み穴に挿入して硬化材で固定する技術としては、例えば特許文献１（特開２００３−１９１２１２号公報）及び特許文献２（特開２００３−１９３５７０号公報）に開示された技術がある。
【０００５】
これら特許文献１及び特許文献２には、木材の端面にインサート埋め込み穴である非貫通孔を設けるとともに、この非貫通孔の開口部側に連通する注入孔と、盲端側に連通するエアー抜き兼充填確認孔とを木材の側面に設け、インサートである異形鉄筋を非貫通孔中に余裕をもって挿入した状態で、硬化材として無収縮性モルタルを注入孔から注入し、エアー抜き兼充填確認孔からエアー抜きして、非貫通孔と異形鉄筋との間の隙間に無収縮性モルタルを充填する技術が開示されている。
【特許文献１】特開２００３−１９１２１２号公報
【特許文献２】特開２００３−１９３５７０号公報
【考案の開示】
【考案が解決しようとする課題】
【０００６】
このような従来技術の場合、非貫通孔と異形鉄筋との間に無収縮性モルタルが満遍なく行き渡るように、非貫通孔と異形鉄筋との間には充分な隙間が全周に形成されなければならない。そのためには、異形鉄筋が非貫通孔の中心に位置決めされなければならないが、特許文献１及び特許文献２には、異形鉄筋の位置決めについては、何らの技術も開示されていない。
【０００７】
また、特許文献２には、非貫通孔を断面凸凹形状として内径を部分的に大きくすることにより、異形鉄筋の引き抜き抵抗を大きくする技術も開示されているが、内径を部分的に大きくする断面凹状部分が、注入孔とエアー抜き兼充填確認孔との間で形成されているため、この断面凹状部分に無収縮性モルタルが行き渡らない恐れがある。
【０００８】
本考案の第１の課題は、インサートをインサート埋め込み穴に挿入するに当たり、その中心への位置決めを簡単に行えるようにすることにある。
【０００９】
本考案の第２の課題は、インサート埋め込み穴の内径を部分的に大きくする部分にも、硬化材を満遍なく充填することができるようにすることにある。
【課題を解決するための手段】
【００１０】
本考案は、雌ねじを有するインサートを、木材に穿設したインサート埋め込み穴に挿入し、該インサート埋め込み穴に硬化材を充填してインサートを固定する木材へのインサート固定装置において、上記第１の課題を達成するため、インサートの雌ねじに螺合させることができる雄ねじ部材と、この雄ねじ部材を挿通させることができる位置決め孔を有する位置決めプレートとを備え、この位置決めプレートを木材表面に当てた状態で位置決め孔を通じて雄ねじ部材をインサートの雌ねじに螺合させることにより、インサートをインサート埋め込み穴中に位置決めした後、インサート埋め込み穴に硬化材を充填する。
【００１１】
その好ましい形態は次のとおりである。
仮止め部材を挿通させる仮止め孔を位置決めプレートに設け、この仮止め孔を通じて位置決めプレートを仮止め部材にて木材表面に仮止めできるようになっている。
【００１２】
木材同士を接合する接合金物の側板が位置決めプレートを兼ね、接合部材を木材表面に仮止めして位置決め孔を通じて雄ねじ部材をインサートの雌ねじに螺合させた後、インサート埋め込み穴に硬化材を充填する。
【００１３】
位置決めプレートに複数の位置決め孔が設けられ、一枚の位置決めプレートにて複数のインサートを複数のインサート埋め込み穴に対して位置決めできるようになっている。
【００１４】
また、第２の課題も達成するため、インサート埋め込み穴の盲端に、その内径を部分的に大きくする拡幅部が形成されているとともに、この拡幅部に直接連通する硬化材注入穴と、インサート埋め込み穴の開口部側に連通する硬化材排出穴とが木材に設けられ、硬化材を硬化材注入穴から注入して拡幅部を含むインサート埋め込み穴に充填し、余分の硬化材を硬化材排出穴から排出できるようになっている。
【考案の効果】
【００１５】
本考案は、位置決めプレートを木材表面に当てた状態で位置決め孔を通じて雄ねじ部材をインサートの雌ねじに螺合させることにより、インサートをインサート埋め込み穴中に位置決めした後、インサート埋め込み穴に硬化材を充填するので、位置決めプレートを定規としてインサートをインサート埋め込み穴の中心に正確に位置決めでき、硬化材により全周を平均に固めた安定状態にして固定できる。
【００１６】
請求項２の考案によれば、位置決め孔をインサート埋め込み穴に一致させた状態で位置決めプレートを木材表面に仮止め部材で一時的に固定し、硬化材の硬化後に位置決めプレートを木材表面から取り外すので、位置決めプレートによる位置決めと、位置決めプレートの取り外し作業が容易になる。また、仮止め部材を挿通させる仮止め孔を位置決めプレートに設けたので、木材表面への位置決めプレートの仮止めを容易に行える。
【００１７】
請求項３の考案によれば、木材同士を接合する接合金物の側板が位置決めプレートを兼ねているので、専用の位置決めプレートが不要になるとともに、インサートの位置決め及びその固定と、木材への接合部材の固定とを同時に行うことができる。
【００１８】
請求項４の考案によれば、一枚の位置決めプレートにて複数のインサートを複数のインサート埋め込み穴に対して位置決めするので、作業性が向上する。
【００１９】
請求項５の考案によれば、インサート埋め込み穴の盲端に、その内径を部分的に大きくする拡幅部が形成され、この拡幅部に直接連通する硬化材注入穴から硬化材を注入し、インサート埋め込み穴の開口部側に連通する硬化材排出穴から余分の硬化材を排出するので、硬化材を拡幅部にも確実に充填できる。
【考案を実施するための最良の形態】
【００２０】
次に、本考案の実施例を図面に基づいて詳細に説明する。
【実施例１】
【００２１】
木材である柱材と同じく木材である梁材とを接合する場合を例にして、先ず、柱材にインサート埋め込み穴を穿設する方法について説明する。
図１及び図２に示すように、柱材１において、梁材との接合面の複数箇所、例えば４箇所に、通常のドリル２により所要深さの穴３を真っ直ぐ掘削した後、図３及び図４に示すように、ルータビット４により穴３の盲端の全周を拡幅切削して、盲端に環状の拡幅部５ａを有するインサート埋め込み穴５を穿設する。
【００２２】
次に、各インサート埋め込み穴５について、その拡幅部５ａに連通する小径の硬化材注入穴６と、インサート埋め込み穴５の開口５ｂの近傍でインサート埋め込み穴５に連通する小径の硬化材排出穴７とを、柱材１の側面からドリル８により掘削する。
【００２３】
図５及び図６に示すように、梁材９については、柱材１と接合する端面の複数箇所、例えば４箇所に、柱材１の場合と同様に、通常のドリル２により所要深さの穴１０を真っ直ぐ掘削した後、図７及び図８に示すように、ルータビット４により穴１０の盲端の全周を拡幅切削して、盲端に環状の拡幅部１１ａを有するインサート埋め込み穴１１を穿設する。
【００２４】
次に、各インサート埋め込み穴１１について、その拡幅部１１ａに連通する小径の硬化材注入穴１２と、インサート埋め込み穴１１の開口１１ｂの近傍でインサート埋め込み穴１１に連通する小径の硬化材排出穴１３とを、梁材９の側面からドリル８により掘削する。
【００２５】
このように穿設した柱材１のインサート埋め込み穴５及び梁材９のインサート埋め込み穴１１のそれぞれにインサートを埋め込むが、その際、実施例１では、図９及び図１０に示すような位置決めプレート１４を用いる。
【００２６】
位置決めプレート１４は例えば鋼板製で、これには、位置決め孔１５が４箇所のインサート埋め込み穴５・１１の配置に合わせて４箇所に設けられているとともに、位置決め孔１５よりも小さい仮止め孔１６が例えば上下２箇所に設けられている。位置決め孔１５は、インサート１７の雌ねじ１７ａに螺合させることができる雄ねじ部材であるボルト１８を挿通させることができる大きさ、仮止め孔１６は、位置決めプレート１４を仮止めするための仮止め部材であるビス１９を挿通させることができる大きさとなっている。
【００２７】
インサート１７は、雌ねじ１７ａを有する異形鉄筋を所要長さに切断したもので、インサート埋め込み穴５・１１に対しその内周面との間に隙間を形成して挿入することができるサイズである。
【００２８】
柱材１のインサート埋め込み穴５にインサート１７を埋め込む場合、図１１に示すように、インサート埋め込み穴５にインサート１７を挿入しておいてから、位置決めプレート１４の位置決め孔１５をインサート埋め込み穴５に一致させ、位置決めプレート１４の仮止め孔１６を通じてビス１９を柱材１にねじ込んで、位置決めプレート１４を柱材１の接合面に仮止めする。
【００２９】
この状態で、インサート埋め込み穴５のそれぞれについて、ボルト１８を位置決めプレート１４の位置決め孔１５を通じてインサート１７の雌ねじ１７ａに螺合させると、インサート１７がインサート埋め込み穴５の内面に接触することなくその中心に位置決めされる。
【００３０】
次に、図１２に示すように、インサート埋め込み穴５のそれぞれについて、注入パイプＰにより硬化材注入穴１２からエポキシ樹脂等の硬化材２０を注入し、余分の硬化材２０が硬化材排出穴１３から排出されるまでインサート埋め込み穴５に硬化材２０を充填する。このとき、硬化材注入穴１２がインサート埋め込み穴５の盲端の拡幅部５ａに連通していて、先に拡幅部５ａに充填されるので、硬化材２０は拡幅部５ａを含む全域に隙間無く充填される。充填したら、硬化材注入穴１２及び硬化材排出穴１３を木栓２１で閉塞して硬化材２０の硬化を待つ。硬化材２０が硬化すると、インサート１７はインサート埋め込み穴５内にしっかりと接着固定され、拡幅部５ａ内で硬化した硬化材２０がインサート１７の大きな引き抜き抵抗となる。
【００３１】
硬化材２０の硬化後、図１３に示すように、ボルト１８をインサート１７の雌ねじ１７ａから外すとともに、ビス１９を抜いて位置決めプレート１４を柱材１から取り外す。
【００３２】
この後、図１４に示すように、ボルト１８をインサート１７の雌ねじ１７ａに螺合させ、接合金具２２を柱材１の接合面に緊締する。接合金具２２は、例えば図１６に示すようなもので、Ｈ形鋼で作られ、その両側の側板２２ａ・２２ｂのそれぞれの４箇所にボルト挿通孔２３が設けられており、このボルト挿通孔２３を通じてボルト１８をインサート１７の雌ねじ１７ａに螺合させることで、片側の側板２２ａを柱材１の接合面に緊締する。
【００３３】
梁材９のインサート埋め込み穴１１についても、上記と同様に位置決めプレート１４を用いてインサート１７を位置決めし、硬化材２０を充填して硬化させる。そして、図１５に示すように、接合金具２２の反対側の側板２２ｂを、柱材１の場合と同様にボルト１８にて梁材９の端面に緊締し、柱材１と梁材９とを接合金具２２を介して接合する。
【実施例２】
【００３４】
次に、実施例２は、図１７及び図１８に示すように、接合金具２２の側板２２ａ・２２ｂが位置決めプレートを兼ねるようにしたものである。すなわち、接合金具２２の側板２２ａ・２２ｂのそれぞれの４箇所のボルト挿通孔２３が、インサート１７を位置決めするための位置決め孔を兼ねるようになっている。また、接合金具２２自体を仮止めするため、ビス等の仮止め部材を挿通させる仮止め孔２４が、それぞれのボルト挿通孔２３に対応させて側板２２ａ・２２ｂに設けられている。
【００３５】
このような接合金具２２を用いてインサート１７を梁材９のインサート埋め込み穴１１に埋め込む場合、図１９に示すように、接合金具２２の片側の側板２２ａのボルト挿通孔２３を梁材９のインサート埋め込み穴１１に一致させた状態で、接合金具２２をビス１９にて梁材９の端面に仮止めする。すなわち、ビス１９を仮止め孔２４を通じて梁材９の端面にねじ込む。
【００３６】
このようにしておいて、インサート埋め込み穴１１のそれぞれについて、ボルト１８を接合金具２２のボルト挿通孔２３を通じてインサート１７の雌ねじ１７ａに螺合させると、インサート１７がインサート埋め込み穴１１の内面に接触することなくその中心に位置決めされる。
【００３７】
次に、図２０に示すように、インサート埋め込み穴１１のそれぞれについて、注入パイプＰにより硬化材注入穴１２からエポキシ樹脂等の硬化材２０を注入し、余分の硬化材２０が硬化材排出穴１３から排出されるまでインサート埋め込み穴１１に硬化材２０を充填する。充填したら、硬化材注入穴１２及び硬化材排出穴１３を木栓２１で閉塞して硬化材２０の硬化を待つ。硬化材２０の硬化後に、図２１に示すようにビス１９を取り外すが、取り外さなくとも支障がなければ、そのままにしておいても構わない。
【００３８】
この後、柱材１に対して、接合金具２２の反対側の側板２２ｂを位置決めプレートとして、梁材９に対する場合と同様に、ビス１９で仮止めしておいてから、図２２に示すようにインサート埋め込み穴５のそれぞれについて、ボルト１８を接合金具２２のボルト挿通孔２３を通じてインサート１７の雌ねじ１７ａに螺合させ、その後、硬化材注入穴６からエポキシ樹脂等の硬化材２０を注入し、余分の硬化材２０が硬化材排出穴７から排出されるまでインサート埋め込み穴５に硬化材２０を充填する。充填したら、硬化材注入穴６及び硬化材排出穴７を木栓２１で閉塞して硬化材２０を硬化させる。
【００３９】
従って、実施例２の場合は、実施例１の場合のような位置決めプレート１４を用いなくとも、柱材１と梁材９とを実施例１の場合と同じ接合関係にできる。
【産業上の利用可能性】
【００４０】
上記の実施例１及び実施例２においては、インサート１７の雌ねじ１７ａに螺合させる雄ねじ部材としてボルト１８を用いたが、ボルト１８以外の雄ねじ部材でもよい。また、仮止め部材としてビス１９を用いたが、釘や両面接着テープなどでも構わない。
【００４１】
さらに、本考案は、柱材と梁材とを接合する場合に限らず、インサートを埋め込み、その雌ねじに雄ねじ部材を螺合させて木材同士を接合する場合に、広範囲に適用できる。
【図面の簡単な説明】
【００４２】
【図１】インサート埋め込み穴となる穴をドリルで柱材に掘削する方法を示す簡略側面図である。
【図２】同じく斜視図である。
【図３】ルータビットで穴の盲端を拡幅する方法を示す簡略側面図である。
【図４】同じく簡略断面図である。
【図５】インサート埋め込み穴となる穴をドリルで梁材に掘削する方法を示す簡略側面図である。
【図６】同じく斜視図である。
【図７】ルータビットで穴の盲端を拡幅する方法を示す簡略側面図である。
【図８】同じく簡略断面図である。
【図９】本考案の実施例１で用いる位置決めプレートの正面図である。
【図１０】この位置決めプレートとインサートとボルトの関係を示す側面図である。
【図１１】実施例１において、柱材のインサート埋め込み穴に対してインサートを位置決めプレートで位置決めする状態を示す断面図である。
【図１２】インサート埋め込み穴に硬化材を充填する方法を示し、図１１とは直角な断面図である。
【図１３】硬化材の硬化後に位置決めプレートを取り外す状態を示す断面図である。
【図１４】インサートの雌ねじにボルトを螺合させて柱材の接合面に接合金具を固定した状態の断面図である。
【図１５】実施例１において、接合金具を介して柱材と梁材とを接合させた状態の断面図である。
【図１６】実施例１で用いる接合金具の斜視図である。
【図１７】本考案の実施例２で用いる接合金具の正面図である。
【図１８】この接合金具とインサートとボルトの関係を示す側面図である。
【図１９】実施例２において、梁材のインサート埋め込み穴に対してインサートを接合金具で位置決めする状態を示す断面図である。
【図２０】インサート埋め込み穴に硬化材を充填する方法を示す断面図である。
【図２１】接合金具の仮止めに用いたビスを取り外す状態を示す断面図である。
【図２２】実施例２において、接合金具を介して柱材と梁材とを接合させた状態の断面図である。
【符号の説明】
【００４３】
１  柱材
２  ドリル
３  穴
４  ルータビット
５  インサート埋め込み穴
５ａ  拡幅部
５ｂ  開口
６  硬化材注入穴
７  硬化材排出穴
８  ドリル
９  梁材
１０  穴
１１  インサート埋め込み穴
１１ａ  拡幅部
１１ｂ  開口
１２  硬化材注入穴
１３  硬化材排出穴
１４  位置決めプレート
１５  位置決め孔
１６  仮止め孔
１７  インサート
１７ａ  雌ねじ
１８  ボルト
１９  ビス
２０  硬化材
２１  木栓
２２  接合金具
２２ａ・２２ｂ  側板
２３  ボルト挿通孔
２４  仮止め孔
【図１】
0003118488.tif 000003
【図２】
0003118488.tif 000004
【図３】
0003118488.tif 000005
【図４】
0003118488.tif 000006
【図５】
0003118488.tif 000007
【図６】
0003118488.tif 000008
【図７】
0003118488.tif 000009
【図８】
0003118488.tif 000010
【図９】
0003118488.tif 000011
【図１０】
0003118488.tif 000012
【図１１】
0003118488.tif 000013
【図１２】
0003118488.tif 000014
【図１３】
0003118488.tif 000015
【図１４】
0003118488.tif 000016
【図１５】
0003118488.tif 000017
【図１６】
0003118488.tif 000018
【図１７】
0003118488.tif 000019
【図１８】
0003118488.tif 000020
【図１９】
0003118488.tif 000021
【図２０】
0003118488.tif 000022
【図２１】
0003118488.tif 000023
【図２２】
0003118488.tif 000024